(57)【特許請求の範囲】
【請求項１】
内筒(1)と、その外側を被嵌する外筒(2)と、それら両筒(1)(2)間の軸方向両端を閉塞する上蓋(3)および下蓋(4)とで筐体(5)を構成し、その筐体(5)の内部に触媒(6)が介装される反応器の製造方法において、
上蓋(3)および下蓋(4)の面積に比べて小さい面積の充填孔(7)を、上蓋(3)あるいは下蓋(4)に予め形成する工程と、
筐体内に介装される一対の通気用のパンチングメタル(16)のうち、少なくとも一方のパンチングメタル(16)に充填孔(20)を形成する工程と、
前記上蓋(3)または下蓋(4)に対向して、前記一対のパンチングメタル(16)を上下方向に離間して配置し、前記充填孔(7)および充填孔(20)を整合させた状態で、その外筒(2)と、  内筒(1)と、上蓋(3)と、下蓋(4)と、一対のパンチングメタル(16)とを組立てる工程と、
その組立て体を炉内に挿入し、その組立て体の各部品間を一体にろう付けする工程と、
前記充填孔(7)から、各充填孔(7)(20)を通過して触媒(6)を筐体内に充填する工程と、
次いで、その各充填孔(7)(20)を小蓋(8)を介して溶接により閉塞する工程と、を具備する反応器の製造方法。
【請求項２】
内筒(1)と、その外側を被嵌する中間筒(10)と、その外側を被嵌する外筒(2)と、その内筒(1)と外筒(2)との間の軸方向両端を閉塞する上蓋(3)および下蓋(4)とで筐体(5)を構成し、その筐体(5)の内部に触媒(6)が介装される反応器の製造方法において、
上蓋(3)および下蓋(4)の面積に比べて小さい面積の第１充填孔(7a)を中間筒(10)の側壁に予め形成し、且つ上蓋(3)および下蓋(4)の面積に比べて小さい面積の第２充填孔(7b)を外筒(2)の側壁に予め形成する工程と、
前記上蓋(3)または下蓋(4)に対向して、一対の通気用のパンチングメタル(16)を上下方向に離間して配置し、
前記中間筒(10)の一方端部を前記上蓋(3)または下蓋(4)のいずれか一方に当接し、前記中間筒(10)の他方端部に一方のパンチングメタル(16)を配置して、
前記第１充填孔(7a)および第２充填孔(7b)の位置を整合させた状態で、その外筒(2)と、中間筒(10)と、内筒(1)と、上蓋(3)と、下蓋(4)と、一対のパンチングメタル(16)とを組立てる工程と、
その組立て体を炉内に挿入し、その組立て体の各部品間を一体にろう付けする工程と、
前記ろう付け工程の後に、前記第１充填孔(7a)から、中間筒(10)と内筒(1)と前記一対のパンチングメタル(16)との間に第１触媒(6a)を充填する工程と、
次いで、その第１充填孔(7a)に第１小蓋(8a)を被嵌して、それらを溶接により閉塞する工程と、
次いで、中間筒(10)と外筒(2)と前記一対のパンチングメタル(16)との間に第２触媒(6b)を充填した後に、第２充填孔(7b)を第２小蓋(8b)を介して溶接により閉塞する工程と、を具備する反応器の製造方法。
【請求項３】
内筒(1)と、その外側を被嵌する中間筒(10)と、その外側を被嵌する外筒(2)と、その内筒(1)と外筒(2)との間の軸方向両端を閉塞する上蓋(3)および下蓋(4)とで筐体(5)を構成し、その筐体(5)の内部に触媒(6)が介装される反応器の製造方法において、
上蓋(3)および下蓋(4)の面積に比べて小さい面積の一対の充填孔(7)を、中間筒(10)の半径方向の内側および外側で、上蓋(3)または下蓋(4)に予め形成する工程と、
筐体内に介装される一対の通気用のパンチングメタル(16)のうち、前記充填孔(7)が設けられた上蓋(3)または下蓋(4)に対応するパンチングメタル(16)に、前記一対の充填孔(7)に整合する一対の充填孔(20)を形成する工程と、
前記上蓋(3)または下蓋(4)に対向して、前記一対のパンチングメタル(16)を上下方向に離間して配置し、
前記中間筒(10)の一方端部を前記上蓋(3)または下蓋(4)のいずれか一方に当接し、前記中間筒(10)の他方端部に一方のパンチングメタル(16)を配置し、
前記一対の充填孔(20)と前記一対の充填孔(7)を整合させた状態で、その外筒(2)と、中間筒(10)と、内筒(1)と、上蓋(3)と、下蓋(4)と、一対のパンチングメタル(16)とを組立てる工程と、
その組立て体を炉内に挿入し、その組立て体の各部品間を一体にろう付けする工程と、
前記ろう付け工程の後に、前記半径方向の内側の充填孔(7)から、各充填孔(7)(20)を通過して中間筒(10)と内筒(1)と前記一対のパンチングメタル(16)との間に第１触媒(6a)を充填すると共に、前記半径方向の外側の充填孔(7)から、各充填孔(7)(20)を通過して中間筒(10)と外筒(2)と前記一対のパンチングメタル(16)との間に第２触媒(6b)を充填する工程と、
次いで、前記パンチングメタル(16)に設けた一対の充填孔(20)を小蓋(8)で閉塞すると共に、充填孔(7)に夫々小蓋(8)を被嵌して、各充填孔(7)と各小蓋(8)との間を溶接により閉塞する工程と、を具備する反応器の製造方法。
【請求項４】
請求項１又は請求項３のいずれかに記載の反応器の製造方法において、
前記上蓋(3)または下蓋(4)の 充填孔 (7)に嵌着される小蓋(8) が有底の筒状に形成され、その底面によりパンチングメタル(16)の充填孔(20)を閉塞し、
前記小蓋(8)の外周面と前記上蓋(3)または下蓋(4)の 充填孔 (7)とが溶接されることを特徴とする反応器の製造方法。
【請求項５】
請求項１〜請求項３のいずれかに記載の反応器の製造方法において、
前記外筒(2)または中間筒(10)または上蓋(3)あるいは下蓋(4)の充填孔の口縁部を、予め外側に突出しておき、その突出縁(9)に前記小蓋(8)を溶接することを特徴とする反応器の製造方法。
【発明の詳細な説明】
【技術分野】
【０００１】
本発明は、外筒と内筒とを有する反応器の製造方法および、その筐体に関する。
【背景技術】
【０００２】
従来から原料ガスと水蒸気の混合物（以下単に原料ガスいう）を改質触媒の存在下に水蒸気改質し、水素リッチな改質ガスを生成する反応器が知られている。また、その原料ガスを脱硫触媒により脱硫する反応器も知られている。
この改質反応に必要な熱を供給する方式として、外部加熱型と、内部加熱型がある。外部加熱型としては、下記特許文献１のように、バーナ等による加熱部を設け、その熱源で原料ガスと水蒸気を反応させて、改質ガスを生成するようになっている。
【０００３】
内部加熱型反応器は、その供給側に部分酸化反応層を設け、その部分酸化反応層で発生した熱を用いて、下流側に配置した水蒸気改質反応層を水蒸気改質反応が生じる温度まで加熱し、加熱された水蒸気改質反応層で、水蒸気改質反応をさせて水素リッチな改質ガスを生成するようになっている。この例としては、下記特許文献２に記載されている。
いずれの場合にも、内筒と、外筒とを有するとともに、それらの間に１つ以上の中間筒を有する。なお、基本的には内筒と外筒のみで、反応器を構成することも可能である。
また、脱硫用の反応器は、内筒と外筒との間に脱硫触媒を充填し、内筒内に加熱ガスを流通させ、原料ガスを脱硫触媒に流通させつつ、原料ガスの加熱行うことがある。
【先行技術文献】
【特許文献】
【０００４】
【特許文献１】特許第４１４５７８５号公報
【特許文献２】特開２００７−２０４３４３号公報
【発明の概要】
【発明が解決しようとする課題】
【０００５】
上記何れの反応器も、内筒と外筒とが同軸上に存在し、両筒体間を上蓋と下蓋で閉塞し、内部を気密に維持する必要がある。そして、その内部に触媒が充填される。
このような構造の反応器は、内筒と外筒との間を下蓋で一体に接合し、上蓋を開放した状態で、そこから内部に触媒を挿入し、次いで、上蓋を溶接により接合していた。その上蓋は、少なくともその外周の全周を外筒に溶接する必要があり、その溶接長さが比較的長く、その溶接作業が面倒である欠点があった。
そこで、本発明は可能な限り炉内のろう付け作業で、反応器の大部分を一体に制作し、溶接作業を可及的に少なくすることができる反応器の製造方法および、その筐体を提供することを課題とする。
【課題を解決するための手段】
【０００６】
請求項１に記載の本発明は、内筒(1)と、その外側を被嵌する外筒(2)と、それら両筒(1)(2)間の軸方向両端を閉塞する上蓋(3)および下蓋(4)とで筐体(5)を構成し、その筐体(5)の内部に触媒(6)が介装される反応器の製造方法において、
上蓋(3)および下蓋(4)の面積に比べて小さい面積の充填孔(7)を、上蓋(3)あるいは下蓋(4)に予め形成する工程と、
筐体内に介装される一対の通気用のパンチングメタル(16)のうち、少なくとも一方のパンチングメタル(16)に充填孔(20)を形成する工程と、
前記上蓋(3)または下蓋(4)に対向して、前記一対のパンチングメタル(16)を上下方向に離間して配置し、前記充填孔(7)および充填孔(20)を整合させた状態で、その外筒(2)と、内筒(1)と、上蓋(3)と、下蓋(4)と、一対のパンチングメタル(16)とを組立てる工程と、
その組立て体を炉内に挿入し、その組立て体の各部品間を一体にろう付けする工程と、
前記充填孔(7)から、各充填孔(7)(20)を通過して触媒(6)を筐体内に充填する工程と、
次いで、その各充填孔(7)(20)を小蓋(8)を介して溶接により閉塞する工程と、を具備する反応器の製造方法である。
【０００７】
請求項２に記載の本発明は、内筒(1)と、その外側を被嵌する中間筒(10)と、その外側を被嵌する外筒(2)と、その内筒(1)と外筒(2)との間の軸方向両端を閉塞する上蓋(3)および下蓋(4)とで筐体(5)を構成し、その筐体(5)の内部に触媒(6)が介装される反応器の製造方法において、
上蓋(3)および下蓋(4)の面積に比べて小さい面積の第１充填孔(7a)を中間筒(10)の側壁に予め形成し、且つ上蓋(3)および下蓋(4)の面積に比べて小さい面積の第２充填孔(7b)を外筒(2)の側壁に予め形成する工程と、
前記上蓋(3)または下蓋(4)に対向して、一対の通気用のパンチングメタル(16)を上下方向に離間して配置し、
前記中間筒(10)の一方端部を前記上蓋(3)または下蓋(4)のいずれか一方に当接し、前記中間筒(10)の他方端部に一方のパンチングメタル(16)を配置して、
前記第１充填孔(7a)および第２充填孔(7b)の位置を整合させた状態で、その外筒(2)と、中間筒(10)と、内筒(1)と、上蓋(3)と、下蓋(4)と、一対のパンチングメタル(16)とを組立てる工程と、
その組立て体を炉内に挿入し、その組立て体の各部品間を一体にろう付けする工程と、
前記ろう付け工程の後に、前記第１充填孔(7a)から、中間筒(10)と内筒(1)と前記一対のパンチングメタル(16)との間に第１触媒(6a)を充填する工程と、
次いで、その第１充填孔(7a)に第１小蓋(8a)を被嵌して、それらを溶接により閉塞する工程と、
次いで、中間筒(10)と外筒(2)と前記一対のパンチングメタル(16)との間に第２触媒(6b)を充填した後に、第２充填孔(7b)を第２小蓋(8b) を介して溶接により閉塞する工程と、を具備する反応器の製造方法である。
【０００８】
請求項３に記載の本発明は、内筒(1)と、その外側を被嵌する中間筒(10)と、その外側を被嵌する外筒(2)と、その内筒(1)と外筒(2)との間の軸方向両端を閉塞する上蓋(3)および下蓋(4)とで筐体(5)を構成し、その筐体(5)の内部に触媒(6)が介装される反応器の製造方法において、
上蓋(3)および下蓋(4)の面積に比べて小さい面積の一対の充填孔(7)を、中間筒(10)の半径方向の内側および外側で、上蓋(3)または下蓋(4)に予め形成する工程と、
筐体内に介装される一対の通気用のパンチングメタル(16)のうち、前記充填孔(7)が設けられた上蓋(3)または下蓋(4)に対応するパンチングメタル(16)に、前記一対の充填孔(7)に整合する一対の充填孔(20)を形成する工程と、
前記上蓋(3)または下蓋(4)に対向して、前記一対のパンチングメタル(16)を上下方向に離間して配置し、
前記中間筒(10)の一方端部を前記上蓋(3)または下蓋(4)のいずれか一方に当接し、前記中間筒(10)の他方端部に一方のパンチングメタル(16)を配置し、
前記一対の充填孔(20)と前記一対の充填孔(7)を整合させた状態で、その外筒(2)と、中間筒(10)と、内筒(1)と、上蓋(3)と、下蓋(4)と、一対のパンチングメタル(16)とを組立てる工程と、
その組立て体を炉内に挿入し、その組立て体の各部品間を一体にろう付けする工程と、
前記ろう付け工程の後に、前記半径方向の内側の充填孔(7)から、各充填孔(7)(20)を通過して中間筒(10)と内筒(1)と前記一対のパンチングメタル(16)との間に第１触媒(6a)を充填すると共に、前記半径方向の外側の充填孔(7)から、各充填孔(7)(20)を通過して中間筒(10)と外筒(2)と前記一対のパンチングメタル(16)との間に第２触媒(6b)を充填する工程と、
次いで、前記パンチングメタル(16)に設けた一対の充填孔(20)を小蓋(8)で閉塞すると共に、充填孔(7)に夫々小蓋(8)を被嵌して、各充填孔(7)と各小蓋(8)との間を溶接により閉塞する工程と、を具備する反応器の製造方法である。
【０００９】
請求項４に記載の本発明は、請求項１又は請求項３のいずれかに記載の反応器の製造方法において、
前記上蓋(3)または下蓋(4)の 充填孔 (7)に嵌着される小蓋(8) が有底の筒状に形成され、その底面によりパンチングメタル(16)の充填孔(20)を閉塞し、
前記小蓋(8)の外周面と前記上蓋(3)または下蓋(4)の 充填孔 (7)とが溶接されることを特徴とする反応器の製造方法である。
【００１０】
請求項５に記載の本発明は、請求項１〜請求項３のいずれかに記載の反応器の製造方法において、
前記外筒(2)または中間筒(10)または上蓋(3)あるいは下蓋(4)の充填孔の口縁部を、予め外側に突出しておき、その突出縁(9)に前記小蓋(8)を溶接することを特徴とする反応器の製造方法である。
【発明の効果】
【００１１】
本発明の反応器の製造方法は、上蓋等に比べて小さな面積の充填孔７を外筒２の側壁2aまたは上蓋３あるいは下蓋４に予め形成し、その外筒２と、内筒１と、上蓋３と、下蓋４とを組立て、一体的にろう付け固定した後に、その充填孔７から触媒６を充填し、その充填孔７を小蓋８で閉塞するものである。
このようにすることにより、比較的小さな充填孔７と小蓋８のみの溶接によって、全体の気密性を図ることができる。即ち、筐体５の大部分を炉内で一体にろう付けし、僅かな残り部分の後工程で反応器を完成することができる。しかも、外筒２の側壁2aまたは上蓋３あるいは下蓋４に充填孔７を設けるので、その充填孔７を上方に位置すれば、筐体内に略隙間なく触媒６を充填できる。
従来の製造方法では、上蓋３を開放した状態で、触媒６を内部に充填し、上蓋３と外筒２とを溶接していたので、その溶接長さが極めて長くなっていた。その溶接長さを本発明では、短くできる効果がある。
また、上蓋３または下蓋４に対向してパンチングメタル16が介装され、それらに充填孔７、20を設けたので、より容易に触媒６を充填し、各充填孔７、20を小蓋８で閉塞することができる。
【００１２】
請求項２に記載のように、内筒１と外筒２との間に中間筒10が存在する場合にも、筐体５の大部分を炉内で一体的にろう付けし、小蓋８の部分を後工程で溶接することができ、製造が容易且つ、迅速で量産性に優れている。それと共に、中間筒10および外筒２の各側壁にそれぞれ充填孔を設けるので、その各充填孔を上方に位置することにより、筐体内に略隙間なく触媒６を充填できる。
そして、上蓋３または下蓋４に対向してパンチングメタル16が介装されることにより、容易に触媒６を充填することができる。
請求項３に記載のように、内筒１と外筒２との間に中間筒10を有し、上蓋３または下蓋４に予め一対の第２充填孔7bを設けた場合にも、触媒６の充填が容易で且つ、後工程の一対の小蓋８の部分の溶接で、一対の第２充填孔7bを閉塞することができる。しかも、上蓋３および下蓋４は平面とすることができ、その平面に設ける一対の第２充填孔7bと一対の小蓋８との溶接はより容易である。
そして、上蓋３または下蓋４に対向してパンチングメタル16が介装され、それらに充填孔７、20を設けたので、より容易に触媒６を充填し、各充填孔７、20を小蓋８で閉塞することができる。
【００１３】
請求項４に記載のように、上蓋３または下蓋４の充填孔７に嵌着される小蓋８を有底の筒状に形成し、その底面によりパンチングメタル16の充填孔20を閉塞する場合には、一つの小蓋８によって、充填孔７と充填孔20とを同時に閉塞することができる。そのため、部品点数が少なく、製造が容易となる。
【００１４】
請求項５に記載のように、外筒２または中間筒10または上蓋３あるいは下蓋４の充填孔の孔縁部を予め外側に突出しておき、その突出縁９に小蓋８を溶接する場合には、その溶接熱により、触媒が変質することを可及的に防止できる。
また、上記製造方法により製造された反応器の筐体は、溶接部分が少ないため量産性の高いものを提供できる。
【図面の簡単な説明】
【００１５】
【図１】反応器の製造方法を示す参考説明図。
【図２】同軸断面図。
【図３】本発明の第２実施例の反応器の軸断面図。
【図４】同反応器の製造方法の説明図。
【図５】本発明の第３実施例の反応器の軸断面略図。
【図６】反応器の製造方法を示す参考説明図。
【図７】同軸断面図。
【図８】本発明の第５実施例の反応器の軸断面図。
【図９】本発明の第６実施例の反応器の軸断面図。
【図１０】本発明の第７実施例の反応器の軸断面略図。
【図１１】本発明の第８実施例の反応器の軸断面略図。
【図１２】本発明の第９実施例の反応器の軸断面略図。
【発明を実施するための形態】
【００１６】
次に、図面に基づいて本発明の実施の形態につき説明する。
図１および図２は、反応器の参考例を示したものである。この反応器は、内筒１と外筒２と上蓋３および下蓋４とで、筐体５を構成し、その筐体５の内部に触媒６が介装されるものである。なお、この例は、外部加熱型の反応器である。
外筒２の外周2aには、予め上蓋３、下蓋４の面積に比べて小さな面積の充填孔７が形成され、その孔縁部が外側に膨出して、突出縁９を形成する。この突出縁９の高さは一例として、２〜３ｍｍ程度とすることができる。この突出縁９には、その周縁部に整合する小蓋８が被着される。
【００１７】
（製造方法）
内筒１と外筒２と、上蓋３および下蓋４とを図１のごとく組立てた状態で、全体を炉内に挿入する。この例では、各部品はステンレス鋼で形成されており、互いに接触する接触部には粉末ろう材がバインダーを介して保持されている。そして、高温の炉内でろう材を溶融し、それを冷却硬化することにより、各部品間が一体にろう付け固定される。
ろう付け完了の後、外筒２に設けた充填孔７を上方に向け、そこから触媒６を内筒１と外筒２との間に充填する。このとき、触媒６は充填孔７の突出縁９の根元以下まで充填される。次いで、充填孔７の突出縁９に小蓋８を当接し、小蓋８の外周を突出縁９に溶接固定する。その突出縁９の近傍には触媒６が存在しないので、溶接熱で触媒が変質するおそれはない。
【００１８】
なお、この例では下蓋４に供給パイプ12が貫通し、上蓋３に出力パイプ13が貫通する。そして、内筒１および外筒２の軸線が重力方向に向くように配置される。このとき、触媒６は、重力により充填孔７の突出縁９内にも充填される。図２はそれを省略している。実際には、その突出縁９内の体積分、そこに触媒６が充填されるので、その分だけ触媒６の上端位置が僅かに低くなる。
その内筒１内にはバーナ11が設けられ、その熱により触媒６が加熱される。供給パイプ12から原料ガス14が触媒６に供給され、それが触媒６内で水蒸気改質されて、出力パイプ13から改質ガス15が取り出され、それが図示しない燃料電池に供給される。
【００１９】
（第２実施例）
次に、図３および図４は、内筒１と外筒２との間に中間筒10を配置し、さらに上蓋３と下蓋４との間に一対のパンチングメタル16（多孔プレート）を配置したものである。そして、中間筒10と内筒１との間に第１触媒6aを充填し、中間筒10と外筒２との間に第２触媒6bを充填するものである。なお、この例も外部加熱型の反応器である。
この例では、中間筒10の側壁に第１充填孔7aを、外筒２の側壁に第２充填孔7bを形成しておく。なお、第１充填孔7aと第２充填孔7bとは、それらの中心軸が整合するように突設するとともに、第２充填孔7bの孔径は第１充填孔7aのものよりも大きく形成される。
これは、第２充填孔7bの開口径を溶接機の先端が入る大きさに形成して、第１充填孔7aの溶接作業を容易に行うためである。
【００２０】
（製造方法）
この例では、中間筒10の側壁に第１充填孔7aを、外筒２の側壁に第２充填孔7bを形成しておく。そして、内筒１と外筒２との間に中間筒10を配置するとともに、それらの軸方向上下に一対のパンチングメタル16および上蓋３、下蓋４を配置し、全体を一体的にろう付け固定する。
ろう付け固定後、内筒１と中間筒10との間に第１触媒6aを充填し、第１充填孔7aに小蓋8aを被嵌して、それらの接触部間を溶接により閉塞する。この第１充填孔7aの孔縁部にも前記第１実施例同様の突出縁９が形成されている。次いで、第２充填孔7bより第２触媒6bを中間筒10と外筒２との間に充填し、その第２充填孔7bを第２小蓋8bを介して溶接により閉塞する。
【００２１】
そして、供給パイプ12を外筒２の下端部に貫通させ、そこから原料ガス14を供給する。供給された原料ガス14は、中間筒10と外筒２との間を上昇し、その上端でＵターンし、中間筒10と内筒１との間を下降する。そして、出力パイプ13から改質ガス15が図示しない燃料電池に供給される。このとき、内筒１内にはバーナ11が設けられ、その燃焼ガスによって、第１触媒6a、第２触媒6bが加熱される。
【００２２】
（第３実施例）
次に、図５は自己酸化内部加熱型の反応器であり、この例は、内筒１が空気の供給管を形成し、その外周に小孔18が穿設されている。そして、中間筒10と内筒１との上部に酸化触媒が配置され、その下方に触媒が配置されている。また、中間筒10と外筒２との間にも触媒が充填されたものである。この例も、図３および図４と同様に製造される。そして、内筒１の上端は端蓋19で閉塞される。
【００２３】
図６および図７は、反応器の参考例を示すものであり、この例が図１および図２のそれと異なる点は、充填孔７が上蓋３に設けられた点である。この上蓋３に替えて、下蓋４に充填孔７を設けても良い。上蓋３、下蓋４は平面に形成され、そこに充填孔７を設けるとともに、その孔縁部に突出縁９を設けている。また、突出縁９の上縁は一平面上に存在するため、そこに小蓋８を被着して、それらの間を溶接固定することも容易である。
この例においては、充填孔７を上方位置にして、そこから内部に触媒６を挿入し、次いで突出縁９に小蓋８を溶接固定すればよい。
【００２４】
（第５実施例）
次に図８は、上蓋３および下蓋４に対向して一対のパンチングメタル16が配置されたものである。そして、各パンチングメタル16と上蓋３、下蓋４との間に原料ガス14および改質ガス15の入口タンク、出口タンクを形成したものである。
それぞれのパンチングメタル16には、ステンレス鋼板に多数の孔が穿設され、その孔の直径は、触媒６のそれよりも小に形成されている。そして、上側のパンチングメタル16と上蓋３とにそれぞれ第１充填孔7a、第２充填孔7bが穿設され、それらを介して、一対のパンチングメタル16間に触媒６を充填する。その後、第１充填孔7aに第１小蓋8aを被嵌し、その外周を溶接固定する。次いで、上蓋３の第２充填孔7bに第２小蓋8bを被嵌し、その外周を溶接固定したものである。それらの作業性を良好にするため、外側の第２小蓋8bを内側の小蓋8aより大きくしている。上記の例に代えて、下側のパンチングメタル16と下蓋４とにそれぞれ第１充填孔7a、第２充填孔7bを穿設してもよい。
【００２５】
（第６実施例）
次に図９は、本発明の第６実施例であり、この例が図８のそれと異なる点は、一つの小蓋８によって、上蓋３の第２充填孔7bとパンチングメタル16の第１充填孔7aとを同時に閉塞したものである。この小蓋８は、有底の筒状に形成され、その底面がパンチングメタル16の第１充填孔7aに嵌着する。そして、外周面が上蓋３の第２充填孔7bに嵌着し、その第２充填孔7bと、小蓋８外周とが溶接固定されるものである。
【００２６】
（第７実施例）
次に図10は本発明の第７実施例であり、この例は図３の実施例同様に、中間に中間筒10を有し、その中間筒10の両側において、そのパンチングメタル16には一対の第１充填孔7aを、上蓋３には一対の第２充填孔7bをそれぞれ設け、それらの孔を介して中間筒10の半径方向の両側に第１触媒6aと第２触媒6bとを充填する。その後に、一対の小蓋８によって、一対の第１充填孔7aと、一対の第２充填孔7bとを同時に閉塞したものである。
【００２７】
（第８実施例）
次に図11は本発明の第８実施例であり、この例が図９の実施例と異なる点は、小蓋８とパンチングメタル16の第１充填孔7aとの間に隙間を設けた点である。この小蓋８と第１充填孔7aとの隙間は、触媒の粒径よりも小にされ、そこからも原料ガスが流通する。さらには、その孔縁に立ち上げられたバーリング加工部にもパンチングメタルの小孔が存在する。
【００２８】
（第９実施例）
次に図12は本発明の第９実施例であり、この例が図８の実施例と異なる点は、第１小蓋8aがパンチングメタルで形成され、そこからも原料ガスが流通することである。
【００２９】
（他の実施例）
上記各例は改質器としての反応器について述べたが、脱硫器としての反応器にも本発明は上記各実施例を利用できる。その場合、改質触媒の代わりに、脱硫触媒が内筒と外筒との間に充填される。そして、原料ガスが内筒と外筒との間に供給され、脱硫された原料ガスが図示しない水蒸気と混合されて、その混合ガスが改質器に供給される。
【符号の説明】
【００３０】
１  内筒
２  外筒
2a  外周
３  上蓋
４  下蓋
５  筐体
【００３１】
６  触媒
6a  第１触媒
6b  第２触媒
７  充填孔
7a  第１充填孔
7b  第２充填孔
【００３２】
８  小蓋
8a  第１小蓋
8b  第２小蓋
９  突出縁
10  中間筒
11  バーナ
12  供給パイプ
13  出力パイプ
14  原料ガス
【００３３】
15  改質ガス
16  パンチングメタル
17  空気
18  小孔
19  端蓋
20  充填孔
【図１】
0005940776.tif 000002
【図２】
0005940776.tif 000003
【図３】
0005940776.tif 000004
【図４】
0005940776.tif 000005
【図５】
0005940776.tif 000006
【図６】
0005940776.tif 000007
【図７】
0005940776.tif 000008
【図８】
0005940776.tif 000009
【図９】
0005940776.tif 000010
【図１０】
0005940776.tif 000011
【図１１】
0005940776.tif 000012
【図１２】
0005940776.tif 000013